(57)【特許請求の範囲】
【請求項１】
第１記録媒体に記録された第１再生品質の第１コンテンツ情報をダウンコンバートして、前記第１再生品質より低精細度な第２再生品質の第２コンテンツ情報を生成するダウンコンバート手段と、
第２記録媒体に前記第２コンテンツ情報を記録する第１記録手段と、
前記第２記録媒体に前記第２コンテンツ情報が記録される場合、前記第１記録媒体に記録された前記第１コンテンツ情報を消去する第１消去手段と、
前記第２コンテンツ情報をアップコンバートして生成される前記第１再生品質に係る画素サイズを有している前記第２再生品質の第３コンテンツ情報と前記第１コンテンツ情報との差分を示す差分情報を生成する差分手段と
を備えることを特徴とする情報記録装置。
【請求項２】
前記第１記録媒体に前記差分情報を記録する第２記録手段を更に備えることを特徴とする請求の範囲第１項に記載の情報記録装置。
【請求項３】
前記第２コンテンツ情報をアップコンバートして、前記第３コンテンツ情報を生成するアップコンバート手段と、
前記差分情報に基づいて、前記生成される第３コンテンツ情報の再生品質を前記第２再生品質から前記第１再生品質に変換する変換手段と
を更に備えることを特徴とする請求の範囲第１項に記載の情報記録装置。
【請求項４】
前記第１再生品質に変換された第３コンテンツ情報を前記第１記録媒体に記録する第３記録手段と、
前記第１再生品質に変換された第３コンテンツ情報が前記第１記録媒体に記録される場合、前記第２記録媒体に記録された前記第２コンテンツ情報を消去する第２消去手段と
を備えることを特徴とする請求の範囲第３項に記載の情報記録装置。
【請求項５】
第１記録媒体に記録された第１再生品質の第１コンテンツ情報をダウンコンバートして、前記第１再生品質より低精細度な第２再生品質の第２コンテンツ情報を生成するダウンコンバート工程と、
第２記録媒体に前記第２コンテンツ情報を記録する第１記録工程と、
前記第２記録媒体に前記第２コンテンツ情報が記録される場合、前記第１記録媒体に記録された前記第１コンテンツ情報を消去する第１消去工程と、
前記第２コンテンツ情報をアップコンバートして生成される前記第１再生品質に係る画素サイズを有する前記第２再生品質の第３コンテンツ情報と前記第１コンテンツ情報との差分を示す差分情報を生成する差分工程と
を備えることを特徴とする情報記録方法。
【請求項６】
請求の範囲第１項に記載の情報記録装置により前記第２記録媒体に記録される前記第２コンテンツ情報を所望の再生品質で再生する情報再生装置であって、
前記第２コンテンツ情報をアップコンバートして、前記第３コンテンツ情報を生成するアップコンバート手段と、
前記差分情報に基づいて、前記生成される第３コンテンツ情報の再生品質を前記第２再生品質から前記第１再生品質に変換して再生する第１再生手段と
を備えることを特徴とする情報再生装置。
【請求項７】
前記第２コンテンツ情報を再生する第２再生手段を更に備えることを特徴とする請求の範囲第６項に記載の情報再生装置。
【請求項８】
請求の範囲第１項に記載の情報記録装置により前記第２記録媒体に記録される前記第２コンテンツ情報を所望の再生品質で再生する情報再生方法であって、
前記第２コンテンツ情報をアップコンバートして、前記第３コンテンツ情報を生成するアップコンバート工程と、
前記差分情報に基づいて、前記生成される第３コンテンツ情報の再生品質を前記第２再生品質から前記第１再生品質に変換して再生する第１再生工程と
を備えることを特徴とする情報再生方法。
【請求項９】
請求の範囲第１項に記載の情報記録装置に備えられたコンピュータを制御する記録制御用のコンピュータプログラムであって、該コンピュータを、前記ダウンコンバート手段、前記第１記録手段、前記第１消去手段及び前記差分手段として機能させることを特徴とするコンピュータプログラム。
【請求項１０】
請求の範囲第６項に記載の情報再生装置に備えられたコンピュータを制御する再生制御用のコンピュータプログラムであって、該コンピュータを、前記アップコンバート手段及び前記第１再生手段として機能させることを特徴とするコンピュータプログラム。
【発明の詳細な説明】
【技術分野】
【０００１】
本発明は、例えばＤＶＤレコーダやＤＶＤプレーヤ等の情報記録装置及び方法、情報再生装置及び方法、並びにコンピュータをこのような情報記録装置等として機能させるコンピュータプログラムの技術分野に関する。
【背景技術】
【０００２】
現在、地上波デジタル放送やＢＳデジタル放送等が開始され、家庭においても高画質なデジタル放送を視聴できるような環境が整いつつある。このようなデジタル放送では、いわゆる標準放送（以下、ＳＤ（Standard Definition）と称する）或いはＳＤＴＶの品質を有するコンテンツ情報から更に進んで、ハイビジョン放送（以下、ＨＤ（High Definition）と称する）或いはＨＤＴＶの品質を有するコンテンツ情報を視聴することができる。【０００３】
他方、このようなデジタル放送により放送されるコンテンツ情報は、デジタルデータであるがゆえに、複製によっても画質の劣化がなく、容易にコピーを作成することができる。このため、デジタルデータ（或いは、デジタル放送に係るコンテンツ情報）のコピーが、著作権の保護という点において問題となっている。このような著作権の保護を実現すべく、様々な著作権保護技術が開発されている（特許文献１から３参照）。特に、ＤＶＤ等の記録媒体において採用されているＣＰＰＭ（Content Protection for Prerecorded Media）やＣＰＲＭ（Content Protection for Recording Media）といった著作権保護技術は、不正なコピーを防ぐための技術であり、例えばコンテンツ情報にコピーワンスの制約をかけることによって、コンテンツ情報の著作権を適切に保護している。【０００４】
【特許文献１】特開２０００−３２４４４３号公報
【特許文献２】特開２０００−２９８９２６号公報
【特許文献３】特開平９−１７１６５８号公報
【発明の開示】
【発明が解決しようとする課題】
【０００５】
日本では、２００４年４月より、現在放送されている地上波デジタル放送やＢＳデジタル放送には、著作権保護の観点から放送される全ての番組（コンテンツ情報）がコピーワンスの制約を受けることになる。【０００６】
このコピーワンスの制約により、例えばハードディスクに録画されたコンテンツ情報をＤＶＤ等の他の記録媒体に移す場合には、ハードディスクに録画された元のコンテンツ情報を消去する、いわゆるＭＯＶＥ動作のみが可能となる。例えば、自宅でＨＤのコンテンツ情報をハードディスクに録画した後に、このコンテンツ情報をＤＶＤ等に記録して外出先等で視聴したいユーザもいる。この場合、ハードディスクに録画されたＨＤのコンテンツ情報がＳＤのコンテンツ情報としてＤＶＤ等に記録され、且つハードディスクに録画されたＨＤのコンテンツ情報が消去されるというＭＯＶＥ動作が行なわれる。このＭＯＶＥ動作により、コンテンツ情報の著作権を適切に保護しつつも、コピーワンスの制約を受けるコンテンツ情報を他の記録媒体へ記録することが可能となる。【０００７】
このとき、ユーザが再度ＨＤのコンテンツ情報を視聴したいと欲しても、既にＳＤのコンテンツ情報しか手元には残っておらず、ＨＤのコンテンツ情報を視聴することができないという問題点を有している。このような問題は、デジタル放送の普及を妨げるのみならず、ハードディスクレコーダ等の情報機器の魅力をも半減させることにも繋がりかねず、好ましいものではない。【０００８】
本発明は、例えば上述した従来の問題点に鑑みなされたものであり、例えば著作権を好適に保護しつつも例えばＨＤ及びＳＤの夫々のコンテンツ情報を好適に視聴することを可能とならしめる情報記録装置及び方法、情報再生装置及び方法、並びにコンピュータをこのような情報記録装置等として機能させるコンピュータプログラムを提供することを課題とする。
【課題を解決するための手段】
【０００９】
（情報記録装置）
本発明の情報記録装置は上記課題を解決するために、第１記録媒体に記録された第１再生品質の第１コンテンツ情報をダウンコンバートして、前記第１再生品質より低精細度な第２再生品質の第２コンテンツ情報を生成するダウンコンバート手段と、第２記録媒体に前記第２コンテンツ情報を記録する第１記録手段と、前記第２記録媒体に前記第２コンテンツ情報が記録される場合、前記第１記録媒体に記録された前記第１コンテンツ情報を消去する第１消去手段と、前記第２コンテンツ情報をアップコンバートして生成される前記第１再生品質に係る画素サイズを有している前記第２再生品質の第３コンテンツ情報と前記第１コンテンツ情報との差分を示す差分情報を生成する差分手段とを備える。【００１０】
本発明の情報記録装置によれば、ダウンコンバート手段の動作により、第１記録媒体に記録されている第１再生品質（ＨＤ）に係る第１コンテンツ情報がダウンコンバートされ、第２再生品質（ＳＤ）に係る第２コンテンツ情報が生成される。このとき、第２再生品質は第１再生品質と比較してより低精細度であるため、第２コンテンツ情報のデータサイズは第１コンテンツ情報のデータサイズと比較してより小さくなっている。そして、この生成された第２コンテンツ情報は、第１記録手段の動作により第２記録媒体に記録される。【００１１】
一方、第２コンテンツ情報が第２記録媒体に記録された後には、第１消去手段の動作により、第１記録媒体に記録されている第１コンテンツ情報が消去される。これにより、コンテンツ情報の著作権を保護することができる。【００１２】
本発明では特に、差分手段の動作により、第１コンテンツ情報と第３コンテンツ情報との差分を示す差分情報が生成される。第３コンテンツ情報は、第１コンテンツ情報と比較して、その画素サイズ（或いは、画素数）は同じであるが、画質（即ち、再生品質）が異なる。そして、この第３コンテンツ情報は、第２コンテンツ情報をアップコンバートすることで、比較的容易に生成することができる。また、差分情報は、第１コンテンツ情報と第３コンテンツ情報の差分を示している。このため、この差分情報に基づいて第３コンテンツ情報を補完することで、第１コンテンツ情報又は該第１コンテンツ情報に相当するコンテンツ情報を生成することができる。ここでの「第１コンテンツ情報に相当するコンテンツ情報」とは、ユーザをして画質（再生品質）が第１再生品質と同等程度（或いは、第２再生品質よりも高精細度である）と認識させることができるコンテンツ情報を示す趣旨である。加えて、差分情報は、それ自体はコンテンツ情報を示す情報ではなく、第３コンテンツ情報と共にデータ処理等をすることで、初めて各種映像や音声等を示す情報（具体的には、第１コンテンツ情報等）となる。【００１３】
従って、コンテンツの著作権が好適に保護されつつも、ユーザは、一度第２再生品質にダウンコンバートされて他の記録媒体に記録されたコンテンツ情報を、差分情報に基づいて、再度第１再生品質に係るコンテンツ情報として視聴することが可能となる。即ち、例えば、相対的に高精細度なデジタル放送の番組を第１記録媒体に録画した後に、当該番組を相対的に低精細度な番組にダウンコンバートして第２記録媒体に記録しても、再び相対的に高精細度な番組として視聴することができる。もちろん、低精細度な番組としても視聴することもできる。【００１４】
以上の結果、本発明に係る情報記録装置によれば、コンテンツの著作権を保護しつつも、ユーザは所望の再生品質（例えば、後述のＨＤ画質に相当する第１再生品質或いは後述のＳＤ画質に相当する第２再生品質）に係るコンテンツ情報を好適に視聴することができる。【００１５】
本発明の情報記録装置の一の態様は、前記第１記録媒体に前記差分情報を記録する第２記録手段を更に備える。【００１６】
この態様によれば、第１記録媒体に記録された差分情報を用いて、後述する各種動作（特に、第３コンテンツ情報の再生品質の変換動作）を適切に行うことができる。【００１７】
本発明の情報記録装置の他の態様は、前記第２コンテンツ情報をアップコンバートして、前記第３コンテンツ情報を生成するアップコンバート手段と、前記差分情報に基づいて、前記生成される第３コンテンツ情報の再生品質を前記第２再生品質から前記第１再生品質に変換する変換手段とを更に備える。【００１８】
この態様によれば、差分情報と第２記録媒体に記録される第２コンテンツ情報をアップコンバートして生成される第３コンテンツ情報とを用いて、第３コンテンツ情報の再生品質を第１再生品質へと変換することができる。即ち、より高精細度な再生品質を有する第１コンテンツ情報（或いは、該第１コンテンツ情報に相当するコンテンツ情報）を生成することが可能となる。従って、一度第１コンテンツ情報を第２コンテンツ情報に変換して他の記録媒体に記録しても、ユーザは該第２コンテンツ情報を高精細度な第１コンテンツ情報として再度視聴することが可能となる。【００１９】
上述の如くアップコンバート手段及び生成手段を備える情報記録装置の態様では、前記第１再生品質に変換された第３コンテンツ情報を前記第１記録媒体に記録する第３記録手段と、前記変換された第３コンテンツ情報が前記第１記録媒体に記録される場合、前記第２記録媒体に記録された前記第２コンテンツ情報を消去する第２消去手段とを更に備えるように構成してもよい。【００２０】
このように構成すれば、第１再生品質に変換された第３コンテンツ情報を再度第１記録媒体に記録すると共に、第２消去手段の動作により第２記録媒体に記録された第２コンテンツ情報が消去される従って、一度第１コンテンツ情報を第２コンテンツ情報に変換して他の記録媒体に記録しても、当該コンテンツの著作権を適切に保護しつつも、当該第１コンテンツ情報等を再度元の記録媒体に記録し直すことが可能となる。【００２１】
（情報記録方法）
本発明の情報記録方法は上記課題を解決するために、第１記録媒体に記録されたる第１再生品質の第１コンテンツ情報をダウンコンバートして、前記第１再生品質より低精細度な第２再生品質の第２コンテンツ情報を生成するダウンコンバート工程と、第２記録媒体に前記第２コンテンツ情報を記録する第１記録工程と、前記第２記録媒体に前記第２コンテンツ情報が記録される場合、前記第１記録媒体に記録された前記第１コンテンツ情報を消去する第１消去工程と、前記第２コンテンツ情報をアップコンバートして生成される前記第１再生品質に係る画素サイズを有している前記第２再生品質の第３コンテンツ情報と前記第１コンテンツ情報との差分を示す差分情報を生成する差分工程とを備える。【００２２】
本発明の情報記録方法によれば、上述した本発明の情報記録装置と同様の各種利益を享受することができる。【００２３】
尚、上述した本発明の情報記録装置における各種態様に対応して、本発明に係る情報記録方法も各種態様を採ることが可能である。【００２４】
（情報再生装置）
本発明の情報再生装置は上記課題を解決するために、上述した本発明の情報記録装置（但し、その各種態様を含む）により前記第２記録媒体に記録される前記第２コンテンツ情報を所望の再生品質で再生する情報再生装置であって、前記第２コンテンツ情報をアップコンバートして、前記第３コンテンツ情報を生成するアップコンバート手段と、前記差分情報に基づいて、前記生成される第３コンテンツ情報の再生品質を前記第２再生品質から前記第１再生品質に変換して再生する第１再生手段とを備える。【００２５】
本発明の情報再生装置によれば、差分情報と第２記録媒体に記録される第２コンテンツ情報（具体的には、第２コンテンツ情報をアップコンバートして生成される第３コンテンツ情報）とを用いて、より高精細度な第１コンテンツ情報（或いは、該第１コンテンツ情報に相当するコンテンツ情報）を生成することが可能となる。従って、一度第１コンテンツ情報を第２コンテンツ情報に変換して他の記録媒体に記録しても、ユーザは該第２コンテンツ情報を高精細度な第１コンテンツ情報として再度視聴することが可能となる。【００２６】
以上の結果、本発明に係る情報再生装置によれば、コンテンツの著作権を適切に保護しつつも、ユーザは、所望の再生品質（特に、第１再生品質）に係るコンテンツ情報を好適に視聴することが可能となる。【００２７】
本発明の情報再生装置の一の態様は、前記第２コンテンツ情報を再生する第２再生手段を更に備える。【００２８】
この態様によれば、ユーザは、第２コンテンツ情報をも適切に視聴することが可能となる。【００２９】
（情報再生方法）
本発明の情報再生方法は上記課題を解決するために、上述した本発明の情報記録装置（但し、その各種態様を含む）により前記第２記録媒体に記録される前記第２コンテンツ情報を所望の再生品質で再生する情報再生方法であって、前記第２コンテンツ情報をアップコンバートして、前記第３コンテンツ情報を生成するアップコンバート工程と、前記差分情報に基づいて、前記生成される第３コンテンツ情報の再生品質を前記第２再生品質から前記第１再生品質に変換して再生する第１再生工程とを備える。【００３０】
本発明の情報再生方法によれば、上述した本発明の情報再生装置と同様の各種利益を享受することができる。【００３１】
尚、上述した本発明の情報再生装置における各種態様に対応して、本発明に係る情報再生方法も各種態様を採ることが可能である。【００３２】
（コンピュータプログラム）
本発明に係る第１コンピュータプログラムは上記課題を解決するために、コンピュータを上述した情報記録装置（但し、その各種形態も含む）として機能させる。本発明に係る第２コンピュータプログラムは上記課題を解決するために、コンピュータを上述した情報再生装置（但し、その各種形態も含む）として機能させる。【００３３】
本発明に係る第１又は第２コンピュータプログラムによれば、当該コンピュータプログラムを格納するＲＯＭ、ＣＤ−ＲＯＭ、ＤＶＤ−ＲＯＭ、ハードディスク等の記録媒体から、当該第１又は第２コンピュータプログラムをコンピュータに読み込んで実行させれば、或いは、当該第１又は第２コンピュータプログラムを、通信手段を介してコンピュータにダウンロードさせた後に実行させれば、上述した本発明の情報記録装置又は情報再生装置を比較的簡単に実現できる。【００３４】
尚、上述した本発明の情報記録装置又は情報再生装置における各種態様に対応して、本発明の第１又は第２コンピュータプログラムも各種態様を採ることが可能である。【００３５】
コンピュータ読取可能な媒体内の第１コンピュータプログラム製品は上記課題を解決するために、コンピュータにより実行可能なプログラム命令を明白に具現化し、該コンピュータを、本発明の情報記録装置（但し、その各種態様を含む）として機能させる。【００３６】
コンピュータ読取可能な媒体内の第２コンピュータプログラム製品は上記課題を解決するために、コンピュータにより実行可能なプログラム命令を明白に具現化し、該コンピュータを、本発明の情報再生装置（但し、その各種態様を含む）として機能させる。【００３７】
本発明の第１又は第２コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば当該コンピュータプログラム製品を所定の通信方式の伝送信号に変換し、通信手段を介してコンピュータにダウンロードすれば、上述した本発明の情報記録装置又は情報再生装置を比較的容易に実施可能となる。更に具体的には、当該コンピュータプログラム製品は、上述した本発明の情報記録装置又は情報再生装置として機能させるコンピュータ読取可能なコード（或いはコンピュータ読取可能な命令）から構成されてよい。【００３８】
本発明のこのような作用及び他の利得は次に説明する実施の形態から明らかにされる。【００３９】
以上説明したように、本発明の情報記録装置又は方法によれば、ダウンコンバート手段、第１記録手段、第１消去手段及び差分手段、又はダウンコンバート工程、第１記録工程、第１消去工程及び差分工程を備える。また、本発明の情報再生装置又は方法によれば、アップコンバート手段及び第１再生手段、又はアップコンバート工程及び第１再生工程を備える。従って、コンテンツの著作権を保護しつつも、ユーザは所望の再生品質に係るコンテンツ情報を好適に視聴することができる。
【図面の簡単な説明】
【００４０】
【図１】本発明の情報記録再生装置に係る実施例の基本構成を概念的に示すブロック図である。
【図２】本実施例に係る情報記録再生装置のＭＯＶＥ動作の流れを概念的に示すフローチャートである。
【図３】本実施例に係る情報記録装置の構成要素のうちＭＯＶＥ動作に関する構成要素を抜粋したブロック図である。
【図４】ＭＯＶＥ動作時のハードディスク及び光ディスクの夫々に記録されるデータを概念的に示す説明図である
【図５】本実施例に係る情報記録再生装置のＭＯＶＥ動作後のＨＤ画質映像の再生動作及びＭＯＶＥ  ＢＡＣＫ動作（ＨＤ）の流れを概念的に示すフローチャートである。
【図６】本実施例に係る情報記録装置の構成要素のうちＭＯＶＥ動作後のＨＤ画質映像の再生動作及びＭＯＶＥ  ＢＡＣＫ動作（ＨＤ）に関する構成要素を抜粋したブロック図である。
【図７】本実施例に係る情報記録再生装置のＭＯＶＥ動作後のＳＤ画質映像の再生動作及びＭＯＶＥ  ＢＡＣＫ動作（ＳＤ）の流れを概念的に示すフローチャートである。
【図８】本実施例に係る情報記録装置の構成要素のうちＭＯＶＥ動作後のＳＤ画質映像の再生動作及びＭＯＶＥ  ＢＡＣＫ動作（ＳＤ）に関する構成要素を抜粋したブロック図である。
【図９】本実施例に係る情報記録再生装置のＭＯＶＥ  ＢＡＣＫ動作（ＨＤ）後のＨＤ画質映像の再生動作の流れを概念的に示すフローチャートである。
【図１０】本実施例に係る情報記録装置の構成要素のうちＭＯＶＥ  ＢＡＣＫ動作（ＨＤ）後のＨＤ画質映像の再生動作に関する構成要素を抜粋したブロック図である。
【符号の説明】
【００４１】
１  情報記録再生装置
１０  ハードディスク
１１  ハードディスクドライブ
２０  光ディスク
２１  光ディスクドライブ
３２  ダウンコンバータ
３７  アップコンバータ
３８  差分回路
４２  加算回路
５０  ＣＰＵ
【発明を実施するための最良の形態】
【００４２】
以下、本発明を実施するための最良の形態について実施例毎に順に図面に基づいて説明する。  （基本構成）
先ず、図１を参照して、本発明の情報記録再生装置（情報記録装置或いは情報再生装置）に係る実施例の基本構成について説明を進める。ここに、図１は、本実施例に係る情報記録再生装置の基本構成を概念的に示すブロック図である。【００４３】
図１に示すように、情報記録再生装置１は、ハードディスク１０及び光ディスク２０の夫々にデータを記録可能に構成されており、ハードディスクドライブ１１、光ディスクドライブ２１、ＨＤ（High Definition）デコーダ３１、ダウンコンバータ３２、ＳＤ（Standard Definition）エンコーダ３３、ＣＰＲＭ（Content Protection for Recordable Media）回路３４、フレームメモリ３５、ＳＤデコーダ３６、アップコンバータ３７、差分回路３８、圧縮回路３９、伸張回路４０、ＨＤエンコーダ４１、加算回路４２、ＣＰＵ５０、メモリ５１を備えている。【００４４】
ハードディスク１０は、本発明における「第１記録媒体」」の一具体例であって、各種データを記録可能な磁気記録媒体であって、特に、光ディスク２０の記録容量と比較して、より大きな記録容量を有している。【００４５】
ハードディスクドライブ１１は、本発明における「第２記録手段」、「第３記録手段」又は「第１消去手段」の一具体例であって、ハードディスク１０へ各種データを記録又は消去可能に構成されている。【００４６】
光ディスク２０は、本発明における「第２記録媒体」の一具体例であって、例えばＤＶＤ等の如く直径１２ｃｍの円盤状の形状を有している情報記録媒体である。【００４７】
特に、本実施例に係る情報記録再生装置１に用いられる光ディスク２０は、ＣＰＲＭに対応した書換可能な光ディスク（例えば、ＤＶＤ−ＲＷ等）である。【００４８】
光ディスクドライブ２１は、本発明における「第１記録手段」又は「第２消去手段」の一具体例であって、光ディスク２０へ各種データを記録又は消去可能に構成されている。【００４９】
ＨＤデコーダ３１は、ＨＤストリームをデコーディング可能に構成されている。即ち、ＭＰＥＧ２圧縮（エンコーディング）されているＨＤストリームを復号することで、本発明における「第１コンテンツ情報」の一具体例たるＨＤ画質映像に係るデータを生成可能に構成されている。【００５０】
ダウンコンバータ３２は、本発明における「ダウンコンバート手段」の一具体例であって、ＨＤサイズ（１９２０画素×１０８０画素）の映像に係るデータをＳＤサイズ（７２０画素×４８０画素）の映像に係るデータに変換可能に構成されている。【００５１】
尚、本実施例では、単に画素数の面から映像を区別する際には、上述の如くＨＤサイズの映像又はＳＤサイズの映像と称して区別する。そして、ＨＤサイズの映像に相当する画素数を有しており、且つ実際にＨＤ画質を実現する映像を特にＨＤ画質映像と称して特に区別する。また、ＳＤサイズの映像に相当する画素数を有する映像は、ＨＤ画質を実現し得るはずもなく、ＳＤサイズの映像を場合によってはＳＤ画質映像と称する。【００５２】
ＳＤエンコーダ３３は、ダウンコンバータにより変換されたＳＤサイズの映像に係るデータに対して、ＭＰＥＧ２圧縮（エンコーディング）可能に構成されている。そして、ＭＰＥＧ２圧縮された後には、ＳＤストリームが生成される。【００５３】
ＣＰＲＭ回路３４は、ＣＰＲＭに従って、コピープロテクションのために、光ディスク２０に記録される各種データ（或いは、ストリーム）の暗号化及び復号化を行う。【００５４】
フレームメモリ３５は、ＨＤデコーダ３１の動作により生成されるＨＤ画質映像に係るデータを格納可能に構成されている。特に、フレームメモリ３５にＨＤ画質映像に係るデータを格納することで、所望のタイミングで当該データを差分回路３８に出力可能に構成されている。【００５５】
ＳＤデコーダ３６は、ＳＤストリームをデコーディング可能に構成されている。即ち、ＭＰＥＧ２圧縮（エンコーディング）されているＳＤストリームを復号して、本発明における「第２コンテンツ情報」の一具体例たるＳＤサイズの映像に係るデータ（即ち、ＳＤ画質映像に係るデータ）を生成可能に構成されている。【００５６】
アップコンバータ３７は、本発明における「アップコンバート手段」の一具体例であって、ＳＤサイズの映像に係るデータをＨＤサイズの映像に係るデータに変換可能に構成されている。【００５７】
差分回路３８は、本発明における「差分手段」の一具体例であって、フレームメモリ３５より出力されるＨＤ画質映像に係るデータとアップコンバータ３７より出力されるＨＤサイズの映像に係るデータとの差分を示す差分データを生成可能に構成されている。【００５８】
圧縮回路３９は、差分回路３８により生成される差分データを圧縮可能に構成されている。ここで用いられる圧縮方式（或いは、圧縮アルゴリズム）は、例えばランレングス圧縮方式（Run Length method）等の各種方式を用いることが可能であるが、より好ましくは、可逆圧縮可能な方式であることが好ましい。即ち、圧縮データが伸張されたデータと当該圧縮データの元データとが同一となるような圧縮方式であることが好ましい。【００５９】
伸張回路４０は、圧縮された差分データを伸張（或いは、解凍）可能に構成されている。ここで、圧縮回路３９において、可逆圧縮可能な圧縮方式で圧縮されていれば、伸張回路４０から出力されるデータと圧縮回路３９へ入力されるデータとは一致する。【００６０】
加算回路４２は、本発明における「生成手段」の一具体例であって、伸張回路４０により伸張される差分データとアップコンバータ３７より出力されるＨＤサイズの映像に係るデータとに基づいて、ＨＤ画質映像に係るデータを生成可能に構成されている。【００６１】
ＨＤエンコーダ４１は、ＨＤ画質映像に係るデータに対して、ＭＰＥＧ２圧縮（エンコーディング）可能に構成されている。そして、ＭＰＥＧ２圧縮された後には、ＨＤストリームが生成される。【００６２】
ＣＰＵ５０は、当該情報記録再生装置１全体（即ち、図１中実線にて囲まれる各種構成要件）の動作を制御可能に構成されている。即ち、情報記録再生装置１が備える各構成要素に対してシステムコマンドを出力することで、情報記録再生装置１全体の制御を行う。通常、ＣＰＵ５０が動作するためのソフトウェアは、例えば外部のメモリ内に格納されている。【００６３】
メモリ５１は、例えばＲＡＭ（Random Access Memory）やフラッシュメモリ等の半導体メモリを含んでなり、情報記録再生装置１の動作に必要な各種データを一時的に記録可能に構成されている。【００６４】
尚、以上の情報記録再生装置１の各種構成要素のうち、主として図１中１ａにて示される鎖線にて囲まれる構成要素（即ち、ハードディスクドライブ１１、光ディスクドライブ２１、ＨＤデコーダ３１、ダウンコンバータ３２、ＳＤエンコーダ３３、ＣＰＲＭ回路３４、フレームメモリ３５、ＳＤデコーダ３６、アップコンバータ３７、差分回路３８、圧縮回路３９等）が本発明における情報記録装置の一具体例を構成する。また、主として図１中１ｂにて示される鎖線にて囲まれる構成要素（即ち、ハードディスクドライブ１１、光ディスクドライブ２１、ＣＰＲＭ回路３４、ＳＤデコーダ３６、アップコンバータ３７、伸張回路４０、ＨＤエンコーダ４１、加算回路４２等）が、本発明における情報再生装置の一具体例を構成する。【００６５】
また、上述の実施例では、図の簡略化のために各種構成要素を媒介するバスを一部省略してブロック図が記載されていることを付記しておく。例えば、ハードディスク１０にＳＤストリームが記録されている場合には、当該ＳＤストリームが図示しないバスを介してＳＤデコーダ３６へ出力され、ＳＤ画質映像が再生される。【００６６】
更に、各種構成要素を媒介するバスに付されている矢印は、データの入出力の方向を例示的に示すものであり、データの入出力の方向がこの矢印の方向に限定されないことは言うまでもない。【００６７】
（動作原理）
続いて、図２から図１０を参照して、本実施例に係る情報記録再生装置の動作原理について説明を進める。【００６８】
（１）ＭＯＶＥ動作
先ず、図２から図４を参照して、本実施例に係る情報記録再生装置のＭＯＶＥ動作について説明する。ここに、図２は、ＭＯＶＥ動作に係る流れを概念的に示すフローチャートであり、図３は、ＭＯＶＥ動作に関する構成要素を抜粋したブロック図であり、図４は、ＭＯＶＥ動作時のハードディスク１０及び光ディスク２０の夫々に記録されるデータを概念的に示す説明図である。【００６９】
図２に示すように、先ずハードディスク１０に記録されているＨＤ画質映像に係るデータであって且つＭＰＥＧ２圧縮されているデータ（即ち、ＨＤストリーム）が読み出され、ＨＤデコーダ３１の動作によりデコーディングされる（ステップＳ１０１）。このデコーディング動作により、ＭＰＥＧ２圧縮される前のＨＤ画質映像に係るデータ（以降、適宜“ＨＤデータ”と称する）が生成される。【００７０】
そして、デコーディングされたＨＤデータがダウンコンバータ３２に入力される。そして、ダウンコンバータ３２の動作により、ＨＤデータがＳＤサイズの映像に係るデータ（以降、適宜“ＳＤデータ”と称する）に変換される（ステップＳ１０２）。【００７１】
続いて、ＳＤデータがＳＤエンコーダ３３に入力される。そして、ＳＤエンコーダ３３の動作により、入力されたＳＤデータに対してＳＤエンコーディング（即ち、ＭＰＥＧ２圧縮）処理が行われる（ステップＳ１０３）。その結果、ＳＤストリームが生成される。【００７２】
その後、ＳＤストリームに対してＣＰＲＭ処理が施される（ステップＳ１０４）。具体的には、情報記録再生装置１が有するデバイスキーや光ディスク２０に予め記録されているメディアキー（例えば、ＭＫＢ（Media Key Block））や光ディスク２０の固有のＩＤ番号等に応じて暗号化キーが生成される。即ち、この暗号化キーに基づいて、記録されるコンテンツ（この場合、ＳＤストリーム）の暗号化が行われる。【００７３】
そして、暗号化されたＳＤストリームが光ディスク２０に記録される（ステップＳ１０５）。【００７４】
このとき、以下に記載する動作が、ステップＳ１０５までに説明したＳＤストリームの光ディスク２０への記録動作と並行して行なわれる。【００７５】
具体的には、ステップＳ１０１においてデコーディング処理されたＨＤストリーム（即ち、ＨＤデコーダ３１の動作により生成されたＨＤデータ）は、ダウンコンバータ３２に加えて、フレームメモリ３５へも出力される（ステップＳ１０６）。【００７６】
更には、ステップＳ１０３においてエンコーディング処理されたＳＤデータ（即ち、ＳＤエンコーダ３３の動作により生成されたＳＤストリーム）は、ＣＰＲＭ回路３４に加えて、ＳＤデコーダ３６へも出力される。そして、ＳＤデコーダ３６の動作によりＳＤストリームのデコーディング処理が行われ（ステップＳ１０７）、ＳＤデータが生成される。【００７７】
その後、ＳＤデータがアップコンバータ３７へ出力される。そして、アップコンバータ３７の動作により、ＳＤデータのアップコンバートが行なわれる（ステップＳ１０８）。即ち、ＳＤデータより、本発明における「第３コンテンツ情報」の一具体例たるＨＤサイズの映像に係るデータが生成される。【００７８】
その後、差分回路３８の動作により、ステップＳ１０８において生成されたＨＤサイズの映像に係るデータとステップＳ１０６においてフレームメモリ３５へ格納されたＨＤデータとの差分を示す差分データが生成される（ステップＳ１０９）。このとき、フレームメモリ３５において、ＨＤデータが差分回路３８へ出力されるタイミングを調整することで、例えばコンテンツの再生時間軸上において対応するデータ同士が、例えばフレーム単位で同期をとりながら差分回路３８に入力されるように構成することが好ましい。【００７９】
この差分データの生成について、より具体的に説明すると、例えばＨＤデータ及びＨＤサイズの映像に係るデータの夫々が示す所定の再生時刻における映像を比較して、画素単位での差分を算出する。例えば、画素単位での輝度、色相等を比較して、それらの差分を算出する。そして、この差分の算出をコンテンツの全再生時刻に対して行うことで、差分データを生成することができる。尚、ここでは、映像中に現れる表示対象物の輪郭部分において特に大きな差分が算出されやすく、差分データは主として表示対象物の輪郭部分を概念的に示している。【００８０】
即ち、差分データは、それ単体では所定の映像や音声等を何ら意味しておらず、後述するように、ＨＤサイズの映像に係るデータと合わせてデータ処理（具体的には、加算処理）することで初めて意味のある映像や音声等を構成する。【００８１】
その後、圧縮回路３９の動作により、生成された差分データに対して圧縮処理が行われる（ステップＳ１１０）。例えば圧縮回路３９においてＭＰＥＧ２圧縮等を行うように構成してもよい。【００８２】
そして、圧縮された差分データがハードディスク１０に記録されると共に（ステップＳ１１１）、ＨＤストリームがハードディスク１０より消去される（ステップＳ１１２）。このとき、圧縮処理された差分データがＨＤストリームに上書きされるように当該圧縮処理された差分データがハードディスク１０に記録されるように構成してもよい。【００８３】
このＭＯＶＥ動作が実際に行なわれるブロック図上における構成要素を抽出すると、図３に示される。即ち、主として、ハードディスクドライブ１１、光ディスクドライブ２１、ＨＤデコーダ３１、ダウンコンバータ３２、ＳＤエンコーダ３３、ＣＰＲＭ回路３４、フレームメモリ３５、ＳＤデコーダ３６、アップコンバータ３７、差分回路３８、圧縮回路３９の動作により、上述したＭＯＶＥ動作が行なわれる。尚、図３においては、各構成要素間において入出力される各種データの名称が記載されている。【００８４】
以上まとめると、ＳＤストリームが光ディスク２０に記録されると共に、ＨＤストリームがハードディスク１０から消去され、且つ圧縮処理された差分データがハードディスク１０に記録される。このときのハードディスク１０及び光ディスク２０の夫々に記録されているデータの態様について図４を参照しながら説明する。【００８５】
図４（ａ）に示すように、ＭＯＶＥ動作前においては、ハードディスク１０にＨＤストリームの全体が記録されている。【００８６】
そして、上述したＭＯＶＥ動作が進行するにつれて、図４（ｂ）及び図４（ｃ）に示すように、ＨＤストリームがハードディスク１０から徐々に消去されていき、また差分データがハードディスク１０へ徐々に記録されていき、またＳＤストリームが光ディスク１０へ徐々に記録されていく。【００８７】
そして、全てのＳＤストリームが光ディスク２０に記録されたときには、図４（ｄ）に示すように、ハードディスク１０よりＨＤストリームは全て消去されており、代わりに圧縮処理された差分データが記録されている。【００８８】
尚、光ディスク２０に記録されるＳＤストリームに対応しているＨＤストリームが同時に消去されるようにＭＯＶＥ動作が行なわれる。言い換えれば、光ディスク２０に記録されたＳＤストリームが示す映像に相当する映像を示す（即ち、例えば同一フレームの）ＨＤストリームが同時にハードディスク１０より消去されるようにＭＯＶＥ動作が行なわれる。例えば、１分の（或いは、数分の、数秒の）再生時間単位毎にＳＤストリームが光ディスク２０に記録され、且つＨＤストリームがハードディスク１０より消去される。但し、このようにＳＤストリーム及び差分データの記録並びにＨＤストリームの消去が行なわれなくとも、例えばユーザが光ディスク２０やハードディスク１０を利用する際に、コンテンツの著作権が適切に保護されている状態にあれば、どのような順序・態様でＳＤストリーム及び差分データの記録並びにＨＤストリームの消去を行ってもよい。【００８９】
このように、本実施例に係る情報記録再生装置１によれば、コンテンツの著作権を適切に保護しつつも、後述するようにハードディスク１０に記録された差分データを用いてＨＤ画質映像の再生が可能となる。【００９０】
尚、上述の実施例においては、ＨＤストリームを順次読み出し、該読み出されたＨＤストリームに対して順次ステップＳ１０１からステップＳ１１２の動作が行なわれるように構成されることが好ましい。即ち、当該ＭＯＶＥ動作の前提として、ハードディスク１０に記録された１つのコンテンツに係るＨＤストリーム全体を一度に読み出し、当該全体のＨＤストリームに対してステップＳ１０１からステップＳ１１２の動作を一度に行なう必要はなく（即ち、バッチ処理的に行う必要はなく）、情報記録再生装置１において処理できる範囲で（例えば、数フレーム単位で）順次ＨＤストリームを読み出し、リアルタイムに上述のＭＯＶＥ動作を行なえばよい。【００９１】
（２）ＭＯＶＥ動作後のＨＤ画質映像の再生動作及びＭＯＶＥ  ＢＡＣＫ動作（ＨＤ）
続いて、図５及び図６を参照して、ＭＯＶＥ動作後のＨＤ画質映像の再生動作及びＭＯＶＥ  ＢＡＣＫ動作（ＨＤ）について説明する。ここに、図５は、ＭＯＶＥ動作後のＨＤ画質映像の再生動作及びＭＯＶＥ  ＢＡＣＫ動作（ＨＤ）の流れを概念的に示すフローチャートであり、図６は、ＭＯＶＥ動作後のＨＤ画質映像の再生動作及びＭＯＶＥ  ＢＡＣＫ動作（ＨＤ）に関する構成要素を抜粋したブロック図である。【００９２】
尚、ＭＯＶＥ  ＢＡＣＫ動作とは、ＭＯＶＥ動作後に、再度そのデータを元の記録媒体に記録する動作を示す。具体的には、一の記録媒体に記録されているデータを他の記録媒体に記録するＭＯＶＥ動作を行なった後に、この他の記録媒体に記録されたデータを再度一の記録媒体に記録する動作を、ＭＯＶＥ  ＢＡＣＫ動作と称する。特に、ＨＤストリームとして元の記録媒体に記録する動作をＭＯＶＥ  ＢＡＣＫ動作（ＨＤ）と称し、ＳＤストリームとして元の記録媒体に記録する動作をＭＯＶＥ  ＢＡＣＫ動作（ＳＤ）と称して区別する。【００９３】
図５に示すように、先ずハードディスク１０より差分データが読み取られる（ステップＳ２０１）。そして、伸張回路４０の動作により、差分データの伸張処理が行なわれる（ステップＳ２０２）。【００９４】
この差分データの読取及び伸張処理と並行して、光ディスク２０よりＳＤストリームが読み取られる（ステップＳ２０３）。続いて、読み取られたＳＤストリームに対してＣＰＲＭ処理が施される（ステップＳ１０４）。ここでは、具体的は、情報記録再生装置１が有するデバイスキーや光ディスク２０に予め記録されているメディアキー等に応じて暗号を解くための復号化キーが生成される。そして、この復号化キーを用いてＳＤストリームに施された暗号が解かれ、復号される。【００９５】
続いて、ＳＤデコーダ３６の動作により、暗号が解かれたＳＤストリームのデコーディング処理が行われ（ステップＳ１０７）、ＳＤデータが生成される。【００９６】
続いて、ＳＤデータがアップコンバータ３７へ出力される。そして、アップコンバータ３７の動作により、ＳＤデータのアップコンバートが行なわれる（ステップＳ１０８）。即ち、ＳＤデータよりＨＤサイズの映像に係るデータが生成される。【００９７】
その後、ステップＳ２０２において伸張処理が施された差分データとアップコンバータ３７より出力されるＨＤサイズの映像に係るデータとが、加算回路４２の動作により加算されることでＨＤデータが生成される（ステップＳ２０４）。即ち、上述した差分回路３８における差分データの生成とは逆の動作を行なうことで、ＨＤデータを生成する。このとき、ＨＤサイズの映像に係るデータが加算回路４２へ出力されるタイミングと差分データが加算回路４２へ出力されるタイミングとを調整する（或いは、同期をとる）ことで、例えばコンテンツの再生時間軸上において対応するデータ同士が、例えばフレーム単位で同期をとりながら加算回路４２に入力されるように構成することが好ましい。例えば、上述したＭＯＶＥ動作時に、ＳＤストリームのユーザデータ（或いは、付加データ）として、対応する差分データのハードディスク１０上の先頭オフセットアドレスを記録するように構成してもよいし、或いは該先頭オフセットアドレスを記録したテーブルを別途ハードディスク１０上に記録するように構成してもよい。【００９８】
その後、生成されたＨＤデータを再生することで（ステップＳ２０５）、ユーザはＨＤ画質映像を視聴することができる。【００９９】
仮に、従来のハードディスクレコーダ等の如く差分データを生成しない情報記録再生装置であれば、ハードディスク１０に記録されていたＨＤストリームを、ＳＤストリームに変換（即ち、ダウンコンバート等）してＭＯＶＥ動作を行なった後には、当該ＳＤストリームを再度ＨＤ画質映像として再生することは困難或いは不可能である。また、ＳＤデータをアップコンバートしても、画素数の面ではＨＤサイズの映像として再生することはできても、本来のＨＤ画質映像として再生することは困難或いは不可能である。【０１００】
しかるに、本実施例に係る情報記録再生装置１によれば、ハードディスク１０に記録されていたＨＤストリームを、ＳＤストリームに変換して光ディスク２０に記録した後であっても、上述の如く差分データを用いてＳＤストリームの再生動作を行なえば、再度ＨＤ画質映像を再生することが可能となる。そして、ＨＤストリームをＳＤストリームに変換して光ディスク２０に記録しても、ハードディスク１０には本来のＨＤストリーム或いはＳＤストリームとは全く異なるデータである差分データしか記録されておらず、コンテンツの著作権は適切に保護されている。【０１０１】
従って、ユーザは、例えば自宅等においては、ハードディスクレコーダ等の高度な情報記録再生装置に記録されたＨＤストリームを再生することで、プラズマテレビ或いはプロジェクター等の大画面にて高画質な映像を視聴することができる。その一方で、ＨＤストリームを変換して、例えばＤＶＤ等の光ディスク２０にＳＤストリームとして記録することで、例えば自動車に搭載されているＤＶＤプレーヤ（或いは、カーナビゲーションに搭載されているＤＶＤプレーヤ）等を用いて同様のコンテンツを自動車の中においても楽しむことができる。即ち、自宅のように高度なＡＶ視聴環境を実現できる場所であっても、自動車内のように簡易なＡＶ視聴環境を実現できる場所であっても、ユーザは所望のコンテンツを所望の再生品質にて選択的に視聴するという大きな利点を享受することができる。【０１０２】
他方、上述の如くＨＤデータを再生することに加えて又は代えて、加算回路４２において生成されたＨＤデータに対してエンコーディング処理を施してもよい（ステップＳ２０６）。即ち、ＨＤデータに対してＭＰＥＧ２圧縮処理を施すことで、ＨＤストリームを生成してもよい。【０１０３】
そして、生成されたＨＤストリームがハードディスク１０へ記録される（ステップＳ２０７）。即ち、ＭＯＶＥ  ＢＡＣＫ動作（ＨＤ）が行なわれてもよい。【０１０４】
このＨＤストリームの記録動作と並行して、光ディスク２０に記録されているＳＤストリームが消去される（ステップＳ２０８）。これにより、コンテンツの著作権を保護することができる。ユーザは再度ハードディスク上に記録されたＨＤ画質映像を視聴することが可能となる。【０１０５】
このとき、ハードディスク１０に記録されている差分データも合わせて消去することが好ましい。これにより、ハードディスク１０の記録容量をより有効に利用することが可能となる。【０１０６】
このＭＯＶＥ動作後のＨＤ画質映像の再生動作及びＭＯＶＥ  ＢＡＣＫ動作（ＨＤ）が実際に行なわれるブロック図上における構成要素を抽出すると、図６に示される。即ち、主として、ハードディスクドライブ１１、光ディスクドライブ２１、ＣＰＲＭ回路３４、ＳＤデコーダ３６、アップコンバータ３７、伸張回路４０、ＨＤエンコーダ４１、加算回路４２の動作により、上述したＭＯＶＥ動作後のＨＤ画質映像の再生動作及びＭＯＶＥ  ＢＡＣＫ動作（ＨＤ）が行なわれる。そして、出力１に接続された外部出力機器（例えば、各種ディスプレイや各種音響機器等）へＨＤデータが出力されることで、ユーザはＨＤ画質映像を視聴することができる。尚、図６においては、各構成要素間において入出力される各種データの名称が記載されている。【０１０７】
（３）ＭＯＶＥ動作後のＳＤ画質映像の再生動作及びＭＯＶＥ  ＢＡＣＫ動作（ＳＤ）
続いて、図７及び図８を参照して、ＭＯＶＥ動作後のＳＤ画質映像の再生動作及びＭＯＶＥ  ＢＡＣＫ動作（ＳＤ）について説明する。ここに、図７は、ＭＯＶＥ動作後のＳＤ画質映像の再生動作及びＭＯＶＥ  ＢＡＣＫ動作（ＳＤ）の流れを概念的に示すフローチャートであり、図８は、ＭＯＶＥ動作後のＳＤ画質映像の再生動作及びＭＯＶＥ  ＢＡＣＫ動作（ＳＤ）に関する構成要素を抜粋したブロック図である。【０１０８】
図７に示すように、先ず光ディスク２０よりＳＤストリームが読み取られる（ステップＳ２０３）。続いて、読み取られたＳＤストリームに対してＣＰＲＭ処理が施される（ステップＳ１０４）。ここでは、具体的には、情報記録再生装置１が有するデバイスキーや光ディスク２０に予め記録されているメディアキー等に応じて、暗号を解くための復号化キーが生成される。そして、この復号化キーを用いてＳＤストリームに施された暗号が解かれ、復号される。【０１０９】
続いて、ＳＤデコーダ３６の動作により、暗号が解かれたＳＤストリームのデコーディング処理が行われ（ステップＳ１０７）、ＳＤデータが生成される。そして、生成されたＳＤデータを再生することで（ステップＳ３０１）、ユーザは、ＳＤサイズの映像（即ち、ＳＤ画質映像）を視聴することができる。【０１１０】
他方、上述の如くＳＤデータを再生することに加えて又は代えて、暗号が解かれたＳＤストリームがハードディスク１０へ記録されるように構成してもよい（ステップＳ３０２）。即ち、ＭＯＶＥ  ＢＡＣＫ動作（ＳＤ）が行われてもよい。【０１１１】
このＳＤストリームの記録動作と並行して、光ディスク２０に記録されているＳＤストリームが消去される（ステップＳ２０８）。これにより、コンテンツの著作権を保護することができる。そして、ハードディスク１０より読み取られるＳＤストリームに対して、ＳＤデコーダ３６の動作によりデコーディング処理が施されることで、ＳＤ画質映像を再生することができる。【０１１２】
このとき、ハードディスク１０に記録されている差分データは、ハードディスク１０に記録されたＳＤストリームを用いてＨＤデータを再生するために必要であるため、このまま残しておくことが好ましい。【０１１３】
このようにハードディスク１０にＳＤストリーム及び差分データの双方が記録されていても、上述の「ＭＯＶＥ後のＨＤ画質映像の再生動作」と同様に、加算回路４２においてこれらのデータを加算処理することで、ＨＤ画質映像を視聴することができる。【０１１４】
更に、このようにコンテンツを、予めＳＤストリームとしてハードディスク１０に記録しておけば、ハードディスク１０に記録されたＳＤストリームを、光ディスク２０へ記録する際（即ち、ＭＯＶＥ動作の際）に、複雑なデータ処理（例えば、ダウンコンバート処理やエンコーディング処理やデコーディング処理等）を行なう必要がなく、高速なＭＯＶＥ動作を実現することができる。【０１１５】
このＭＯＶＥ動作後のＳＤ画質映像の再生動作及びＭＯＶＥ  ＢＡＣＫ動作（ＳＤ）が実際に行なわれるブロック図上における構成要素を抽出すると、図８に示される。即ち、主として、ハードディスクドライブ１１、光ディスクドライブ２１、ＣＰＲＭ回路３４、ＳＤデコーダ３６の動作により、上述したＭＯＶＥ動作後のＳＤ画質映像の再生動作及びＭＯＶＥ  ＢＡＣＫ動作（ＳＤ）が行なわれる。そして、出力２に接続された外部出力機器（例えば、各種ディスプレイや各種音響機器等）へＳＤデータが出力されることで、ユーザはＳＤ画質映像を視聴することができる。尚、図８においては、各構成要素間において入出力される各種データの名称が記載されている。【０１１６】
（４）ＭＯＶＥ  ＢＡＣＫ動作（ＨＤ）後のＨＤ画質映像の再生動作
続いて、図９及び図１０を参照して、ＭＯＶＥ  ＢＡＣＫ動作（ＨＤ）後のＨＤ画質映像の再生動作について説明する。ここに、図９は、ＭＯＶＥ  ＢＡＣＫ動作（ＨＤ）後のＨＤ画質映像の再生動作の流れを概念的に示すフローチャートであり、図１０は、ＭＯＶＥ  ＢＡＣＫ動作（ＨＤ）後のＨＤ画質映像の再生動作に関する構成要素を抜粋したブロック図である。【０１１７】
図９に示すように、ハードディスク１０に記録されたＨＤストリームが読み取られ（ステップＳ４０１）、該読み取られたＨＤストリームに対してデコーディング処理が施される（ステップＳ１０１）。即ち、ＨＤデータが生成される。そして生成されたＨＤデータを再生することで（ステップＳ２０５）、ユーザは、ＨＤ画質映像を視聴することが可能となる。【０１１８】
尚、ここで説明する再生動作は、ＭＯＶＥ動作前にハードディスク１０に記録されているＨＤストリームを再生する動作と同様である。【０１１９】
このＭＯＶＥ  ＢＡＣＫ動作（ＨＤ）後のＨＤ画質映像の再生動作が実際に行なわれるブロック図上における構成要素を抽出すると、図１０に示される。即ち、主として、ハードディスクドライブ１１、ＨＤデコーダ３１の動作により、上述したＭＯＶＥ  ＢＡＣＫ動作（ＨＤ）後のＨＤ画質映像の再生動作が行なわれる。そして、出力３に接続された外部出力機器（例えば、各種ディスプレイや各種音響機器等）へＨＤデータが出力されることで、ユーザはＨＤ画質映像を視聴することができる。尚、図１０においては、各構成要素間において入出力される各種データの名称が記載されている。【０１２０】
以上説明したように、本実施例に係る情報記録再生装置１によれば、ハードディスク１０に記録されていたＨＤストリームを、ＳＤストリームに変換して光ディスク２０に記録した後であっても、上述の如く差分データを用いてＳＤストリームの再生動作を行なえば、再度ＨＤ画質映像を再生することが可能となる。そして、ＨＤストリームをＳＤストリームに変換して光ディスク２０に記録しても、ハードディスク１０には本来のＨＤストリーム或いはＳＤストリームとは全く異なるデータである差分データしか記録されておらず、ユーザは、コンテンツの著作権を適切に保護しつつも、所望の再生品質に係るコンテンツを好適に視聴することが可能となる。【０１２１】
また、上述の実施例では、記録媒体の一例としてハードディスク１０及び光ディスク２０、並びに情報記録再生装置の一例としてハードディスク１０及び光ディスク２０に係るレコーダ（プレーヤ）について説明したが、本発明は、ハードディスク及び光ディスク、並びにそのレコーダ（プレーヤ）に限られるものではなく、他の各種記録媒体並びにそのレコーダ（プレーヤ）にも適用可能である。【０１２２】
本発明は、上述した実施例に限られるものではなく、請求の範囲及び明細書全体から読み取れる発明の要旨或いは思想に反しない範囲で適宜変更可能であり、そのような変更を伴なう情報記録装置及び方法、情報再生装置及び方法、並びに、記録制御用及び再生制御用のコンピュータプログラムもまた本発明の技術的範囲に含まれるものである。
【産業上の利用可能性】
【０１２３】
本発明に係る情報記録装置及び方法、情報再生装置及び方法、並びにコンピュータプログラムは、例えば、民生用或いは業務用の、ＤＶＤレコーダやＤＶＤプレーヤ等に利用可能である。また、例えば民生用或いは業務用の各種コンピュータ機器に搭載される又は各種コンピュータ機器に接続可能な情報記録再生装置等にも利用可能である。
【図１】
0004633715.tif 000002
【図２】
0004633715.tif 000003
【図３】
0004633715.tif 000004
【図４】
0004633715.tif 000005
【図５】
0004633715.tif 000006
【図６】
0004633715.tif 000007
【図７】
0004633715.tif 000008
【図８】
0004633715.tif 000009
【図９】
0004633715.tif 000010
【図１０】
0004633715.tif 000011